(57)【要約】【課題】アームにより景品を把持している状態を検出することにより、クレーンゲーム機としての演出効果を高め、集客率を向上させる。【解決手段】請求項１の発明は、景品フィールドに置かれた景品を、把持手段により把持することで景品を取得するクレーンゲーム機において、把持手段（３ｂ）による景品の把持状態を検出するセンサー（３ｃ）を具備し、センサー（３ｃ）が検出した景品の把持状態により、異なる動作を行うことを特徴とする。請求項２の発明は、異なる動作が、景品の把持状態を表現する演出する動作であることを特徴とする。請求項３の発明は、異なる動作が、景品の把持が容易または困難となる前記把持手段の制御動作であることを特徴とする。【選択図】図１
2005080890.tif 000002
【特許請求の範囲】
【請求項１】
景品フィールドに置かれた景品を、把持手段により把持することで景品を取得するクレーンゲーム機において、
前記把持手段（３ｂ）による景品の把持状態を検出するセンサー（３ｃ）を具備し、
該センサー（３ｃ）が検出した景品の把持状態により、異なる動作を行うことを特徴とするクレーンゲーム機。
【請求項２】
前記異なる動作が、景品の把持状態を表現する演出する動作であることを特徴とする請求項１に記載のクレーンゲーム機。
【請求項３】
前記異なる動作が、景品の把持が容易または困難となる前記把持手段の制御動作であることを特徴とする請求項１に記載のクレーンゲーム機。
【発明の詳細な説明】
【技術分野】
【０００１】
本発明は、クレーンゲーム機に関するものである。
【背景技術】
【０００２】
従来より、景品フィールドに置かれた景品を、アームにより把持して景品取出口まで運ぶことで景品を取得するクレーンゲーム機が公知となっている。このようなクレーンゲーム機では、アームにより景品を把持している状態を検出することは、従来は行われていなかった。
【特許文献１】特開２００１−４６７３０号公報
【発明の開示】
【発明が解決しようとする課題】
【０００３】
しかしながら、アームにより景品を把持している状態を検出することにより、クレーンゲーム機としての演出効果を高め、集客率を向上させることが可能となる点で従来のクレーンゲーム機には改善余地があった。
【０００４】
本発明は、上記の問題点に鑑みてなされたもので、アームにより景品を把持している状態を検出することにより、クレーンゲーム機としての演出効果を高め、集客率を向上させることを目的とする。
【課題を解決するための手段】
【０００５】
この目的を達成するために、請求項１の発明によるクレーンゲーム機は、景品フィールドに置かれた景品を、把持手段により把持することで景品を取得するクレーンゲーム機において、把持手段（３ｂ）による景品の把持状態を検出するセンサー（３ｃ）を具備し、センサー（３ｃ）が検出した景品の把持状態により、異なる動作を行うことを特徴とする。
【０００６】
請求項２の発明によるクレーンゲーム機は、請求項１において、前記異なる動作が、景品の把持状態を表現する演出する動作であることを特徴とする。
【０００７】
請求項３の発明によるクレーンゲーム機は、請求項１において、前記異なる動作が、景品の把持が容易または困難となる把持手段の制御動作であることを特徴とする。
【発明の効果】
【０００８】
以上のように、本発明のクレーンゲーム機によれば、把持手段により景品を把持している状態を検出することにより、クレーンゲーム機としての演出効果を高め、集客率を向上させることが可能となる。
【発明を実施するための最良の形態】
【０００９】
以下、本発明の実施の形態を図面に基づいて説明する。実施の形態は、本発明をアームにより景品を把持するクレーンゲーム機に適用した場合を例にしている。
【実施例１】
【００１０】
図１は、本発明によるクレーンゲーム機の一実施形態を示すブロック結線図である。図１において、メイン制御ユニット１は、クレーンメカ２、キャッチメカ３、および演出部４を制御する。クレーンメカ２は、景品フィールド（図示せず）内においてキャッチメカ３を２軸方向に水平移動すると共に、キャッチメカ３の上下駆動を行う。キャッチメカ３はキャッチャ制御ユニット３ａを有し、キャッチャ制御ユニット３ａを介してアーム３ｂを駆動すると共に（図４（ｃ）参照）、センサユニット３ｃから景品の把持状態を検出してメイン制御ユニット１に伝達する。演出部４は、メイン制御ユニット１に制御されて照明機器４ａを駆動することでクレーンゲーム機としての演出を行う。
【００１１】
アーム３ｂは、景品フィールドに置かれた景品を把持し、クレーンメカ２によりキャッチメカ３が２軸方向に水平移動されることで、景品取出口まで景品を運ぶ役割を果たす。センサユニット３ｃは光センサーであり、図２に示すように、景品５がセンサユニット３ｃの遠くにあるときは、メイン制御ユニット１内のＣＰＵ１ａに検出値（０１）を伝達し、景品５がセンサユニット３ｃの遠くにあることを知らせる。また、景品５がセンサユニット３ｃの近くにあるときは、メイン制御ユニット１内のＣＰＵ１ａに検出値（４０）を伝達し、景品５がセンサユニット３ｃの近くにあることを知らせる。
【００１２】
メイン制御ユニット１内のＣＰＵ１ａは、図３にフローチャートで示す動作を行う。景品キャッチ動作時には、ステップＳ１で動作を開始して、キャッチメカ３を下降動作させる（ステップＳ２）。ステップＳ３で、キャッチメカ３が下がり切るのを待って、センサユニット３ｃの検出値を読み込む（ステップＳ４）。ステップＳ５で、センサユニット３ｃの検出値が、通常値（所定値）よりも大きいときはステップＳ６に移行する。通常値（所定値）以下のときはステップＳ８に移行する。
【００１３】
ステップＳ６では、とれ率が、想定値（所定値）よりも大きいときはステップＳ７に移行する。想定値（所定値）以下のときはステップＳ８に移行する。とれ率とは、クレーンゲーム機のプレイヤーが景品を取得できる率であり、所定の値を想定値としてメイン制御ユニット１またはＣＰＵ１ａ内に予め記憶しておく。
【００１４】
ステップＳ７では、キャッチメカ３の上昇動作よりもアーム３ｂのキャッチ動作（閉じる動作）を少し遅らせ（図４（ａ））、その後にステップＳ８に移行してキャッチメカ３を上昇動作させる。ステップＳ５からステップＳ７におけるＣＰＵ１ａの動作は、キャッチメカ３の上昇動作よりもアーム３ｂのキャッチ動作を遅らせると、アーム３ｂが景品５をキャッチすることが困難になるので、ＣＰＵ１ａが景品５の払い出し状況を調整することを意味する。
【００１５】
ステップＳ５においてセンサユニット３ｃの検出値が通常値（所定値）以下であるか、またはステップＳ６においてとれ率が想定値（所定値）以下のときは、ＣＰＵ１ａが景品５の払い出し状況を調整する必要が無いので、直ちにステップＳ８に移行してキャッチメカ３を上昇動作させる。
【００１６】
キャッチメカ３を上昇動作させて上昇が完了したときは（ステップＳ１１）、センサユニット３ｃの検出値を読み込む（ステップＳ１２）。ステップＳ１２で、センサユニット３ｃの検出値が、何も無いときの値よりも検出値＋αの値以下のときは、直ちにプログラムを終了する。センサユニット３ｃの検出値が、何も無いときの値よりも検出値＋αの値が大きいときはステップＳ１４に移行して、メイン制御ユニット１に演出許可信号を送信してから（図４（ｂ））、プログラムを終了する。即ち、センサユニット３ｃの検出値が、何も無いときの値よりも検出値＋αの値が大きいときは、景品５がガッチリと掴めているものと判断して、メイン制御ユニット１は演出部４を制御して照明機器４ａを駆動し、クレーンゲーム機が景品５を取得できそうであることの演出を行う。
【００１７】
以上、本発明を実施の形態により説明したが、本発明の技術的思想によれば、種々の変形が可能である。例えば、上述した実施形態においては、センサユニット３ｃが光センサーであるものとして説明したが、アーム３ｂに設けられた圧力センサーや、センサユニット３ｃの下部に設けられた近接センサー等や、その組み合わせであっても良い。また、上述した実施形態においては、演出部４が照明機器４ａを駆動するものとして説明したが、音による演出や、メカニカルな演出であっても良い。また、ステップＳ５からステップＳ７の動作が、アーム３ｂによる景品５の把持が困難となる場合を例にしたが、景品５の把持が容易となるように制御動作することも可能である（請求項３）。また、把持手段としてはアームの他にバスケット、ショベル等であって良い。
【産業上の利用可能性】
【００１８】
本発明は、アーケードゲーム機と呼ばれいているゲーム機のメーカーが利用可能な技術を提示している。
【図面の簡単な説明】
【００１９】
【図１】クレーンゲーム機を示すブロック結線図である。（実施例１）
【図２】クレーンゲーム機の動作を示す説明図である。（実施例１）
【図３】クレーンゲーム機の動作を示すフローチャートである。（実施例１）
【図４】クレーンゲーム機の動作を示す説明図である。（実施例１）
【符号の説明】
【００２０】
１    メイン制御ユニット
１ａ  ＣＰＵ
２    クレーンメカ
３    キャッチメカ
３ａ  キャッチャ制御ユニット
３ｂ  アーム
３ｃ  センサユニット
４    演出部
４ａ  照明機器
５    景品
【図１】
2005080890.tif 000003
【図２】
2005080890.tif 000004
【図３】
2005080890.tif 000005
【図４】
2005080890.tif 000006